【手続補正書】
【提出日】平成20年6月4日(2008.6.4)
【手続補正１】
【補正対象書類名】特許請求の範囲
【補正対象項目名】全文
【補正方法】変更
【補正の内容】
【特許請求の範囲】
【請求項１】
加工部材を支持するベースと、
該ベース上に支持され該ベースに対して回動可能なターンテーブルと、
該ターンテーブルに設けられ該ターンテーブルの上方で切断刃を揺動可能に支持する切断部と、を備え、
該ターンテーブルは該切断刃が揺動して交わる箇所となるターンテーブル本体と該切断刃と該ターンテーブル本体とが交わる交線の延長線上にあって該ターンテーブル本体外周から該交線の延長線方向に突出する突出部とを有し、
該突出部には該ターンテーブルを該ベースに対して回動不能に固定可能な固定機構が設けられ、該突出部は該ターンテーブル本体外周からの突出量を変更可能であることを特徴とする卓上切断機。
【請求項２】
該突出部は、先端部分から構成される先端部を備え、
該ターンテーブル本体には、該先端部を支持可能な基部が設けられ、
該突出部の突出量変化は該基部に対する該先端部の位置変化により達成されることを特徴とする請求項１に記載の卓上切断機。
【請求項３】
該突出部は、該固定機構を該突出部の突出方向に往復移動可能に支持する支持部を備え、
該固定機構は該突出部の突出方向に移動した場合に該支持部と当接する当接部を備えていることを特徴とする請求項２に記載の卓上切断機。
【請求項４】
該固定機構は、該ターンテーブル本体若しくは該基部に支持される第一の部材と、該先端部に支持される第二の部材とを含んで構成されて、該第一の部材と該第二の部材との協働により該ターンテーブルを該ベースに固定可能であることを特徴とする請求項３に記載の卓上切断機。
【請求項５】
該先端部は該基部に移動不能に固定された支持位置と、該基部への固定が解除された非支持位置との間で移動可能であることを特徴とする請求項２乃至請求項４のいずれか一に記載の卓上切断機。
【請求項６】
該基部は、該交線の延長方向と略直交する方向に延びる回動軸を備え、
該先端部は、該基部の延出方向と該先端部の延出方向とが同一となる該支持位置と該基部の延出方向と該先端部の延出方向とが略直交する非支持位置との間を回動可能に回動軸で軸支されていることを特徴とする請求項５に記載の卓上切断機。
【請求項７】
該先端部と該基部とに関連して、該先端部が支持位置及び非支持位置にある状態で該基部に対する該先端部の位置を固定する位置固定規定機構が設けられていることを特徴とする請求項６に記載の卓上切断機。
【請求項８】
該基部は該加工部材と対向する基部上面を有し、
該回動軸は該基部上面近傍に該基部上面と該回動軸の軸方向が略平行になるように設けられ、
該先端部が該支持位置にある状態で該基部と該先端部との互いに対面する位置には、該先端部の該基部に対する回動角度を調整する回動角度調整機構が設けられていることを特徴とする請求項４または請求項５のいずれかに記載の卓上切断機。
【請求項９】
該先端部は該基部に着脱可能に設けられ、該先端部が該基部に装着された状態で該先端部は該支持位置にあり、該先端部が該基部から離脱した状態で該先端部は非支持位置にあることを特徴とする請求項２乃至請求項４のいずれか一に記載の卓上切断機。
【請求項１０】
該先端部と該基部とは、該先端部が該基部に隣接する位置と該基部に離間する位置との間で該交線方向において移動可能に構成されていることを特徴とする請求項２乃至請求項４のいずれか一に記載の卓上切断機。
【請求項１１】
該ベースの該ターンテーブルの回動軸を中心とする円弧位置に複数設けられた係止部と、
該基部に設けられて該係止部と係合可能であると共に該係止部に対する係合・離脱を選択的に操作可能な係合部材と、を備えることを特徴とする請求項１乃至請求項１０のいずれか一に記載の卓上切断機。
【請求項１２】
該切断部は、該切断刃を該交線と平行に移動可能な移動機構を備えることを特徴とする請求項１乃至請求項１１のいずれか一に記載の卓上切断機。
【請求項１３】
該切断部は、切断刃を回転可能に支持する切断本体部と、該ターンテーブルに支持されると共に該切断本体部を支持する支持部と、を備え、
該支持部は、該切断本体部を揺動可能に支持する揺動支持部と、該ターンテーブルの回動中心に対して該突出部の反対位置に設けられ該揺動支持部を保持すると共に該交線と略平行な方向に該揺動支持部を移動可能とするスライド支持部と、を有し、
該移動機構は、該揺動支持部と該スライド支持部から構成されることを特徴とする請求項１２に記載の卓上切断機。
【手続補正２】
【補正対象書類名】明細書
【補正対象項目名】０００８
【補正方法】変更
【補正の内容】
【０００８】
上記卓上切断機において、該突出部は、先端部分から構成される先端部を備え、該ターンテーブル本体には、該先端部を支持可能な基部が設けられ、該突出部の突出量変化は該基部に対する該先端部の位置変化により達成されることが好ましい。
【手続補正３】
【補正対象書類名】明細書
【補正対象項目名】００３９
【補正方法】変更
【補正の内容】
【００３９】
また図２及び図５に示されるように、基部２５の右側側面部分には、突出部２４の延出方向と略直交する方向に移動可能なピン２５Ｂが設けられている。このピン２５Ｂは第一保持孔２６ａと第二保持孔２６ｂとのいずれか一方に係合することが可能となっている。具体的には、図６及び図７に示されるように、突出部２４の上面がターンテーブル本体部２２Ａの上面と同一面となり、基部２５の突出方向と突出部２４の突出方向が略同一となる位置（支持位置）においてピン２５Ｂは、第二保持孔２６ｂに挿入され、図８に示されるように、支持位置から回動されて突出部２４の突出方向が基部２５の突出方向と略直交する方向になる位置（非支持位置）においてピン２５Ｂは、第一保持孔２６ａに挿入される。
【手続補正４】
【補正対象書類名】明細書
【補正対象項目名】００４７
【補正方法】変更
【補正の内容】
【００４７】
図１に示されるように、切断本体部５は、ハウジング５１と、モータ５２と、ハンドル５３と移動用ハンドル５４と鋸刃カバー５５とを備え、切断刃である丸鋸刃６を回転可能に支持している。ハウジング５１は、その下端で揺動軸４１Ａに軸支され、バネ４１Ｂで上方に付勢されている。モータ５２は丸鋸刃６を駆動し、ハウジング５１内に配置されている。ハンドル５３はハウジング５１の上部に設けられて、切断本体部５を揺動する際の把握箇所となる。またハンドル５３にはモータ５２の回転制御を行うスイッチ５３Ａが設けられている。移動用ハンドル５４はモータ５２近傍位置に設けられて、切断本体部５を図示せぬピンで最下方に揺動させた状態で、卓上丸鋸１を移動する際に把握する箇所となる。鋸刃カバー５５はハウジング５１と一体に設けられており、その内部に丸鋸刃６を備えて保護している。
【手続補正５】
【補正対象書類名】明細書
【補正対象項目名】００５０
【補正方法】変更
【補正の内容】
【００５０】
また図４に示されるように、木材Ｗの前後方向における幅が大きい場合には、切断本体部５を最も前方まで摺動させ、スイッチ５３ＡをＯＮにして丸鋸刃６を回転させながら、切断本体部５を下方に揺動した後に、丸鋸刃６を回転させた状態で切断本体部５を後方に移動させる。この場合に木材Ｗの前側部分は、突出部２４上に担持されるため、安定して木材Ｗを切断することができる。
【手続補正６】
【補正対象書類名】明細書
【補正対象項目名】００５７
【補正方法】変更
【補正の内容】
【００５７】
図１２に示されるように、基部１２５の側面部分にはネジ穴１２５ａが形成されており、一対の腕部１２６Ｅ、１２６Ｅのうち左側側面を構成する部分であってネジ穴１２５ａと対応する位置には孔１２６ａが形成されている。よって基部１２５と先端部１２６とを係合させた状態で、ネジ１２６Ｂを孔１２６ａを通してネジ穴１２５ａとを螺合させることにより、基部１２５に先端部１２６が移動不能に固定される（支持位置）。
【手続補正７】
【補正対象書類名】図面
【補正対象項目名】図３
【補正方法】変更
【補正の内容】
【図３】
2007237545.tif 000001
【手続補正８】
【補正対象書類名】図面
【補正対象項目名】図１０
【補正方法】変更
【補正の内容】
【図１０】
2007237545.tif 000002